(57)【要約】【課題】  長方形の板材を曲げて応力が付加された振動板の背部を、一つの電磁ドライブユニットにより振動させ、優れた楽音を発生するスピーカ装置の製造方法およびその製造方法で製造されたスピーカを提供する。【解決手段】  長方形の板材の短辺が、圧縮側が前部になるように湾曲され、短辺側面が複数個の固定部材の弦状側面に挿入されて、曲げ応力が付加された振動板を有するスピーカ装置において、長辺の両端部中央部をスピーカ筐体に治具により固定する。さらに、振動板の背部が駆動棒により振動装置で直結される構造からなることを特徴とする。【選択図】図１
2019134393.tif 000002
【特許請求の範囲】
【請求項１】
長方形の板材の短辺が圧縮側が前部になるよう湾曲され、短辺側面が複数個の固定部材の弦状側面に挿入されて、曲げ応力が付加された曲面の振動板を有するスピーカ装置であって、振動板の長辺の両端辺の中央部分が治具によって匡体に固定された振動板を有するスピーカ装置。
【請求項２】
長辺の両端辺の中央部分の治具固定部分の両端に切込み溝を有する請求項１に記載のスピーカ装置。
【請求項３】
該振動板の背部が、振動装置と駆動棒により直結した構造を有する請求項１または２に記載のスピーカ装置。
【請求項４】
振動装置が電磁ドライバ又は圧電素子であることを特徴とする請求項３に記載のスピーカ装置。
【請求項５】
振動板の板材が神代杉、杉、檜のいずれかであることを特徴とする請求項１〜４いずれかに記載のスピーカ装置。
【発明の詳細な説明】
【技術分野】
【０００１】  本発明は、薄板木材を曲げて応力が付加された軽量振動板の背部を電磁ドライバで振動させ、楽音を発するスピーカの製造方法、ならびにこの製造方法により製造されたスピーカに関するものである。
【背景技術】
【０００２】  平板を曲げた振動板を有するスピーカには種々のものが存在するが、例えば特願２００４−１２０５１７のようにハニカム構造板をムービングコイルで振動させるものや、同じくハニカム板を圧電振動子で振動させる特許第５８８８２９４などがあるが、湾曲させるための加圧機構が複雑となったり、発する音響の周波数帯域が狭く、広域においてフラットで豊かな音響を発することが困難とされている。一方、特開２０００−３５４２９４の木材平面板を曲げて多数のリブで湾曲を固着し、複数のムービングコイルで振動させて、優れた楽音を発するハイエンドのスピーカが存在するが、多数のリブで構成する振動板の構造が精緻かつ複雑なため、製造コストがかかり、極めて高価な製品となっている。【０００３】  またスピーカの振動板や筐体にバイオリンやギターなどの弦楽器に使われるドイツトウヒや楓、ローズウッドなどの木材を使用するものは、材料が高価となったり、入手が困難なため量産には適さない。
【先行技術文献】
【特許文献】
【０００４】
【特許文献１】特開２００４−１２０５１７
【特許文献２】特開２０００−３５４２９４
【特許文献３】特許第５８８８２９４号
【非特許文献】
【０００５】
【非特許文献１】矢野浩之著「楽器と木材」  高分子５６巻８月号  ２００７年
【発明が解決しようとする課題】
【０００６】  これらの平面ハニカム板を曲げたスピーカの一部では、平面を曲げて湾曲形状とするのにスプリングなど複雑な加圧機構とするため、使用期間中に、振動板に歪が発生したり、加圧量が変化することにより、内部応力が変化し、音質が安定しないという課題があった。
【０００７】  一方、平板を湾曲させ、多数のリブを組み合わせて接着剤で固着させた振動板を複数のムービングコイルで駆動させるスピーカにおいては、耐久性や剛性の維持は確保されとともに、低音から高音まで豊かで優れた音響性能が得られるが、多数のリブを組み合わせて固着させる製造工程が複雑なため、極めてコスト高となる課題があった。
【課題を解決するための手段】
【０００８】  本発明は上記のことを鑑み提案されたもので、その目的とするところは、薄くて軽量の湾曲した木製振動板の短辺を複数個の固定部材の弦状側面に挿入し、曲げ応力が付加された曲面の振動板を保持しつつ、さらに振動板の長辺両端辺に設けた、２本の切込み溝を有する中央部を治具により筐体に固定した後、振動板の背部中央を電磁振動ドライバーユニットと直結した駆動棒により振動を伝え、応答性が良く、かつ繊細で明瞭な音質を持つスピーカを、入手しやすい木材を使って、安価に製造する方法ならびにその製造方法により製造されたスピーカを提供することにある。
【０００９】  スピーカの振動板は、一般に知られているようにＥ／ρ式で示されるように、密度ρが小さく、すなわち軽くて、剛性Ｅが高いことが望ましい。平面スピーカの振動板の材料として、一般的には比重が非常に小さく、軟らかく加工のし易いバルサー材が使用されている。
【００１０】  本発明では、木材として汎用材の中から、比重が比較的小さく、曲げ弾性率の大きな檜や杉、また千年の年代にわたり地中で埋もれて緻密化した古木である神代杉を振動板として選択した。
【００１１】  さらにこれらの緻密質の薄板を曲げて、圧縮側が外向きになるよう曲げて、振動板の表面の緻密化を図ると同時に、湾曲により応力を付加された振動板とした。
【００１２】  また湾曲した長方形の長辺両端を筐体に固定する構造として、固定部分を湾曲の中心部とし、かつ固定部分の両端に各２本の切込み溝を設け、固定により振動板全体の振動が妨げられない構造とした。この構造により振動板は治具固定部を除く振動板全体が電磁ドライバの振動により、バランスよく共振する構造とした。
【発明を実施するための形態】
【００１３】  以下、図面に沿って本発明のスピーカ製造方法により製造されるスピーカの１実施例について説明する。
【００１４】  図１は本発明の一実施例の要部構成を示す。図１において符号１で示すものは８０ｍｍ×３００ｍｍの振動板である。この振動板１は、厚み１ｍｍから１．５ｍｍの矩形の薄板で構成され、湾曲させて応力が付加された状態で、図３に示すように、固定部材３Ａ、３Ｂ、３Ｃの弦状側面に挿入し、弦状側面と接着剤で固着させる。
【００１５】  また図２に示すように湾曲した振動板の長辺両端中央部を治具４によってスピーカ筐体２に固定する。好ましくは長辺両端中央部に各２本の切込み溝７を設け、その中央の穴８を治具４によってスピーカ筐体２に固定する。
【００１６】  この２本の切込み溝７の形状は、幅１〜３ｍｍ、間隔ピッチを１０〜３０ｍｍ、長さ３０〜７０ｍｍとする。溝を設けずに振動板を筐体に固定する方法より、溝を設けた構造の方がより音質に繊細さがあり、軟らかい音質となった。図２では幅２ｍｍ、間隔ビッチを２０ｍｍ、長さを５０ｍｍとした。
【００１７】  なお治具で固定する際、筐体と振動板の間に木製スペーサ９を挿入し、筐体と振動板が直接接触しないようにした方がより好ましい。
【００１８】  振動板の短辺サイズを幅８０ｍｍの一定にして、長辺を２７０ｍｍと３００ｍｍのサイズを選択して音質を比較したところ、周波数特性がフラットで滑らかなことやエコーが少ない点から、振動板の長辺サイズは短辺サイズの４倍以上が好ましい。
【００１９】  図４はスピーカの上部から見た断面図である。
【００２０】  図５はスピーカ筐体の側面板を外し、内部構造が見えるようにした斜視図である。スピーカ音は湾曲した振動板の前面から発せられるが、振動板の振動によって生じた背圧を逃がすために開口部９が設けられている。
【００２１】  また振動板の裏面から発生した音は筐体と振動板外周の狭い空間を通り、振動板前面からの音を打ち消さないように調整させつつ、スピーカ前面から出る構造とする。
【００２２】  図６はスピーカ装置の正面図である。
【００２３】  表１に振動板に使用する木材の種類を変えたときの音質測定の結果を示す。
【００２４】
【表１】
2019134393.tif 000003
【００２５】  板材は比重が０．３〜０．５、曲げ弾性率が７００００〜１０００００Ｋｇｆ／ｃｍ２程度のものが好ましい。杉や檜はバイオリンやギターなどの弦楽器に使われるドイツトウヒやローズウッド、楓に比較して、入手しやすい身近な木材である。杉や檜は比重が０．４程度と比較的小さく、曲げ弾性率は７５０００〜９００００Ｋｇｆ／ｃｍ２と木目に沿って大きいため、本発明の振動板に用いると、演奏に用いられた楽器をきめ細かく再現する優れた音質を示した。また、特に神代杉においては、地中での長期の経年変化により、新材に比べて吸湿性が低下し、緻密質となっているため、弦楽器を忠実に再現する優れた音響特性が得られた。
【００２６】  図７は本発明スピーカと高音域を担うツィータ１０と低音域をカバーするウーハ１２と本発明スピーカ１１Ａ、Ｂと組み合わせたシステム構成図である。
【００２７】  表１で示すように、木製振動板の木材の種類により音質が変わるので、異なる材質のスピーカ１１Ａと１１Ｂのように本スピーカを２台並べて、スイッチにより切り替えることにより、ピアノや弦楽器や打楽器など演奏に用いる楽器の種類やオーケストラ編成に合わせた音響効果を選択することが出来る。
【００２８】
【発明の効果】
【００２９】  以上に説明した本発明のスピーカの周波数特性を代表的なオーディオ用ダイナミックスピーカ装置ならびに既存の木製湾曲振動板を用いたオーディオ用スピーカ装置と比較した結果を図８に示す。
【００３０】  図８においてダイナミックタイプに比べて本発明スピーカは中高音域の立ち上がりが優れている。また既存の木製湾曲振動板スピーカと比較すると同じく中高音域の音の落ち込みが小さい結果を示した。
【００３１】  実際に耳で試聴した音質評価の比較を表２に示す。
【００３２】
【表２】
2019134393.tif 000004
【００３３】  表２は本発明のスピーカの総合的な音質をダイナミックタイプならびに湾曲振動板のオーディオスピーカと比較したものである。本発明のスピーカから再生される音は演奏に使われる楽器の特徴を再現し易いこと、また湾曲効果により音が前方に向かって出る感じがあること、さらに残響が少ないなどの特徴を有することが判明した。
【００３４】  以上の説明で明らかなように、本発明は、身近な汎用の木材や古木などの木材を使用した振動板を湾曲させて、長辺両端中央部を木製筐体に取り付け、その背部をドライバの駆動を振動板の背面に直結させるというシンプル構造から、高級オーディオ用スピーカと同等以上の音響品質を再生するスピーカ装置を安価に製造できる方法ならびにその製造方法で製造されたスピーカを提供するものである。
【図面の簡単な説明】
【００３５】
【図１】本発明の一実施例のスピーカの振動板全体の構造を示す。
【図２】同スピーカの振動板の取付工程を示す。
【図３】同スピーカの振動板と固定部材を示す。
【図４】同スピーカの上面から見た断面図を示す。
【図５】同スピーカの側面板を外した斜視図である
【図６】同スピーカの正面図を示す。
【図７】異なる木材の振動板を用いた同スピーカ２台と、ツィータとウーハにより、システムを構成した図を示す。
【図８】同スピーカとタイプの異なるオーディオ用スピーカと周波数特性を比較したグラフを示す。
【符号の説明】
【００３６】  １  振動板
２  筐体
３  固定部材
４  固定治具
５  ドライバ
６  駆動棒
７  切込み溝
８  取付穴
９  スペーサ
１０  ツィータ
１１  本発明スピーカ
１２  ウーハ
【図１】
2019134393.tif 000005
【図２】
2019134393.tif 000006
【図３】
2019134393.tif 000007
【図４】
2019134393.tif 000008
【図５】
2019134393.tif 000009
【図６】
2019134393.tif 000010
【図７】
2019134393.tif 000011
【図８】
2019134393.tif 000012